(57)【要約】【課題】扁平で略長方形状の携帯型表示端末を、落下時の衝撃から保護するカバーを提供する。【解決手段】携帯型表示端末の保護カバー１は、電子書籍端末などの薄くて略長方形状の携帯型表示端末の外縁部を覆う略長方形状に弾性材で一体成形され、４箇所の保護カバー角部６、７、８、９から円弧状の筐体角部に沿って複数の凸状リブが一体的に弾性材で独立に形成され、落下による衝撃力を緩和する。複数の凸状リブは、略長方形状の面に平行な方向で外に突出した側部凸状リブ１０、１１、１２、１３と、上下の垂直方向に突出して筐体角部の側部の外に外側部が位置する上部凸状リブ１４、１５、１６、１７、および下部凸状リブ１８、１９、２０、２１で構成される。携帯型表示端末の保護カバーの裏側には、外縁部に沿って複数の突出部２２と線状リブ２３が形成されて連続した閉じた略長方形状にされ、突出部２２は下部凸状リブと同一平面に接する突出量にされる。【選択図】図１
2011248437.tif 000002
【特許請求の範囲】
【請求項１】
扁平で略長方形状の携帯型表示端末の筐体の外縁部を覆う形状に弾性材で一体的に成形され、４箇所の保護カバー角部から略長方形状の面に平行な方向に突出した側部凸状リブ、および直交する上下方向に突出した上部凸状リブと下部凸状リブが円弧状の筐体角部に沿った形状に独立して形成された携帯表示端末の保護カバー。
【請求項２】
前記側部凸状リブの厚さが、覆われる携帯型表示端末の筐体角部の厚さ以下に、前記上部凸状リブと前記下部凸状リブの外側面が該筐体角部の上下の端より略長方形状の前記面に平行な方向の外の位置に形成された請求項１に記載の携帯型表示端末の保護カバー。
【請求項３】
前記側部凸状リブが、略長方形状の面と平行方向の面において、覆われる携帯型表示端末の円弧状の前記筐体角部より大きい曲率を有する外形状を有する請求項１または請求項２に記載の携帯型表示端末の保護カバー。
【請求項４】
複数の突出部が、覆われる携帯型表示端末の筐体の外縁部に沿った位置で、同一の弾性材で成形された前記下部凸状リブと同一平面に接する突出量にされた請求項１から請求項３のいずれかに記載の携帯型表示端末の保護カバー。
【請求項５】
複数の線状リブが、覆われる携帯型表示端末の筐体の外縁部に沿った位置で、隣接する前記突出部の間を連結して配置され、前記突出部とともに閉じた略長方形状に同一の弾性材で形成された請求項４に記載の携帯型表示端末の保護カバー。
【請求項６】
４箇所の前記上部凸状リブに嵌め合わせ可能な複数の孔部が形成された略長方形状の蓋が、携帯型表示端末の表側に着脱自在に配置された請求項１から請求項５までのいずれかに記載の携帯型表示端末の保護カバー。
【請求項７】
前記蓋が、前記孔部において前記下部凸状リブに嵌め合わせ可能にされ、前記突出部を覆わない形状で携帯型表示端末の裏側に着脱自在にされた請求項６に記載の携帯型表示端末の保護カバー。
【請求項８】
前記蓋が弾性材で形成された請求項６に記載の携帯型表示端末の保護カバー。
【発明の詳細な説明】
【技術分野】
【０００１】
本発明は、扁平な携帯型表示端末を落下などの衝撃から保護するカバーに関する。
【背景技術】
【０００２】
落下による衝撃でパソコンの角隅の破損を保護するために、特許文献１においては、パソコン全側壁にＨ型断面構造の連続した弾性体を嵌め込み、落下時には、側壁から平行に外に突出した２つの弾性変形する部分を先に地面に当て、パソコンの側壁が直接当たるのを防ぐことで衝撃を吸収する。パソコンの側壁が当たる方向から大きく傾いて（パソコンの表面か裏面に平行に近い姿勢で）地面に落下する場合には弾性体での衝撃の吸収が十分でなく、破壊される可能性がある。  
【０００３】
落下時の衝撃を吸収して電子装置を損傷から守るため、特許文献２においては、弾力性のある保護カバーを示している。リモコンなどの電子装置の全側面を覆い、側面から外方向に突出した半円形のつばが保護カバーに備えられる。また、保護カバーの底面には円柱状の突起が多く設けられ、衝撃を吸収し、摩擦を増大して保護と滑りにくさを兼ねる。側面が当たる方向から大きい角度の姿勢で落下する場合には、電子書籍のように薄く面積が大きく、脆弱な表示面を有する電子装置を保護するには十分でない。  
【０００４】
携帯用電子機器を落下による衝撃から保護し、保持の操作性を向上するための緩衝部材の構成が、特許文献３で示される。略直方形状の筐体の側面の角部分に厚い凸部を配置し、手で握る部分を薄くした緩衝部材で上下の側面を覆う。この構成においても側面が当たる方向から大きい角度の姿勢で落下する際には衝撃は十分に吸収されない。また、脆弱な表示面を保護する積極的な構造になっていない。
【０００５】
段ボールなどの包装容器と緩衝材で包装体を保護する構造が、特許文献４で示される。略立方形の包装体の８箇所の角部に圧縮変形しやすくした緩衝用コーナーパッドを配置する。緩衝用コーナーパッドは、頂点を中心とする直交する三面に凸状リブが外方向に設けられ、包装容器から加わる衝撃力を凸状リブのばね変形で吸収する。包装容器なしで用いることを想定したものでなく、また薄型の包装体には適用できない。
【０００６】
外ケースに包まれた携帯型電子機器の間に衝撃吸収材を配置する別の方法が、特許文献５で示される。携帯型電子機器の周縁部の上下の面と側面に連続した高硬度の衝撃吸収材を、その外側に独立した低硬度の衝撃吸収材を配置して外ケースから加わる衝撃を吸収する。衝撃吸収材が単一材料でなく、外ケースのない単独使用はできない。
【０００７】
内側に衝撃吸収用のリブが形成されたプロテクタで携帯型電子機器を落下時の衝撃から保護する方法が、特許文献６で示される。プロテクタは、携帯型電子機器の筐体の上下の側面を密着して覆う。内側にリブを形成する構成は、薄い筐体で曲率が大きい角部に対しては効果的な配置が難しく、外形状と重量が大きくなりやすい。
【先行技術文献】
【特許文献】
【０００８】
【特許文献１】米国特許第５３９２９２０号
【０００９】
【特許文献２】米国特許第５３６０１０８号
【００１０】
【特許文献３】特開２０００−２３６１６９
【００１１】
【特許文献４】特開２００２−５３１７８
【００１２】
【特許文献５】特開２００６−１５３１０８
【００１３】
【特許文献６】特開平３−１５９２９９
【発明の概要】
【発明が解決しようとする課題】
【００１４】
本発明の携帯型表示端末の保護カバーは、脆弱な表示面を有する電子書籍端末のような扁平で略長方形状の携帯表示端末に適用され、どの方向の落下の衝撃に対しても耐久性を持たせ、非使用時には表示面を覆うようにする。
【課題を解決するための手段】
【００１５】
請求項１において、本発明の携帯表示端末の保護カバーは、扁平で略長方形状の携帯型表示端末の筐体の外縁部を覆う形状に弾性材で一体的に成形される。４箇所の保護カバー角部から略長方形状の面に平行な方向に突出した側部凸状リブ、および直交する上下方向に突出した上部凸状リブと下部凸状リブが円弧状の筐体角部に沿った形状に独立して形成される。
【００１６】
携帯型表示端末がどのような姿勢で落下しても、いずれかの凸状リブが最初に地面に衝突するようにされ、凸状リブを大きく変形させることで衝撃を緩和する。特に、脆弱な表示面が直接衝突しにくくされる。保護カバー角部以外の筐体を覆う弾性材の大部分が比較的薄く形成されて、外形状と重量の付加が小さくされることで、軽さと薄さが求められる電子書籍端末など対応する。
【００１７】
請求項２において、保護カバー角部から突出する側部凸状リブの厚さが、覆われる携帯型表示端末の筐体角部の厚さ以下にされる。また、上部凸状リブと下部凸状リブの外側面が筐体角部の上下の端より略長方形状の面に平行な方向の外の位置に形成される。落下でいずれかの凸状リブが衝突しても、衝撃力の多くが携帯型表示端末の筐体角部の側部に分散されて加わるようにされる。
【００１８】
請求項３において、側部凸状リブが、保護カバーの略長方形状の面と平行方向の面において、携帯型表示端末の円弧状の筐体角部より大きい曲率を有する外形状にされる。保護カバーの全体の外形寸法を大きくせず、側部凸状リブの外への突出量を大きくし、衝撃をより緩和させる。
【００１９】
請求項４において、複数の突出部が、携帯型表示端末の筐体の外縁部に沿った位置に設けられ、同じ弾性材で成形された下部凸状リブと同一平面に接する突出量にされる。安定した姿勢が確保され、携帯型表示端末の裏面が衝撃から保護される。
【００２０】
請求項５において、複数の線状リブが、携帯型表示端末の筐体の外縁部に沿った位置で、隣接する突出部の間を連結して配置され、突出部とともに閉じた略長方形状に同一の弾性材で形成される。
【００２１】
請求項６において、４箇所の上部凸状リブに嵌め合わせ可能な複数の孔部が形成された略長方形状の蓋が、携帯型表示端末の表側に着脱自在に配置される。非使用時に脆弱な表示面に物が当たることを防ぎ、衝突の衝撃を緩和する。
【００２２】
請求項７において、蓋の孔部が下部凸状リブに嵌め合わせ可能にされ、保護カバー裏面の外縁部に沿って形成された突出部を覆わない形状の蓋が携帯型表示端末の裏側で保持される。蓋の保管が容易になる。
【００２３】
請求項８において、蓋が弾性材で形成される。蓋の弾性で衝撃を吸収し、上部凸状リブまたは下部凸状リブへの嵌め合わせと保持がされやすくされる。
【発明の効果】
【００２４】
本発明の携帯型表示端末の保護カバーは、電子書籍端末のような扁平で略長方形状の携帯表示端末に適用されて、どの方向での落下衝撃に対しても耐久性を持たせることができる。
【００２５】
保護カバーを装着することによる重量と外形状の付加が小さく、扱いやすい。
【００２６】
脆弱な表示面に直接物が当たりにくい構成にされる。  
【００２７】
手、膝、あるいは机上で滑りにくく、携帯型表示端末の落下防止と姿勢安定が出来る。
【００２８】
また、表示面に直接物が当たることを防ぐ蓋を簡単に着脱できる。
【図面の簡単な説明】
【００２９】
【図１】本発明の携帯型表示端末の保護カバーの実施例１を斜視図で示す。
【図２】実施例１の保護カバーを携帯型表示端末に装着した斜視図を示す。
【図３】携帯型表示端末に装着された実施例１を正面図で示す。
【図４】携帯型表示端末に装着された実施例１の角部の拡大断面図を示す。
【図５】携帯型表示端末に装着された実施例１の角部の拡大図を示す。
【図６】実施例１の角部を異なる方向から剛性面に衝突させた状態を示す断面図を示す。
【図７】実施例１の裏側形状の一例を示す。
【図８】蓋が配置された本発明の携帯型表示端末の保護カバーの実施例２を示す。
【発明を実施するための形態】
【００３０】
本発明の携帯型表示端末の保護カバーを説明するため、以下の実施例で記述する。
【実施例１】
【００３１】
図１は、本発明の携帯型表示端末の保護カバーの実施例１を斜視図で示すものである。携帯型表示端末の保護カバー１は全体が単一の弾性材で一体的に成形される。略長方形状の辺に相当する４箇所の袋状梁部２、３、４、５で全体の外形が構成され、４箇所の保護カバー角部６、７、８、９から外の直交する３方向に突出し、保護カバー角部６、７、８、９に沿った形状の複数の凸状リブが独立して形成される。
【００３２】
複数の凸状リブは、４箇所の袋状梁部２、３、４、５の中に外縁部が収められる携帯型表示端末の表示面と平行にされる保護カバーの略長方形状の面に対して、４箇所の保護カバー角部６、７、８、９から平行方向で外に突出した側部凸状リブ１０、１１、１２、１３、および直交する上下方向で外に突出した上部凸状リブ１４、１５、１６、１７、下部凸状リブ１８、１９、２０、２１で構成される。
【００３３】
収納される携帯型表示端末の外縁部の裏面側に相当する、４箇所の袋状梁部２、３、４、５の下側である裏保護カバー面に、突出した複数の突出部２２が同一の弾性材で設けられる。突出部２２は、携帯型表示端末が収納された状態で、下部凸状リブ１８、１９、２０、２１とともに同一平面に接する突出量にされる。複数の線状リブ２３が、隣接する突出部２２の間を同一の弾性材で連結して形成される。連結される複数の突出部２２と線状リブ２３は、携帯型表示端末の保護カバー１の裏保護カバー面に閉じた略長方形状として形成される。なお、線状リブ２３は突出部２２に較べて突出量が小さくされ、携帯型表示端末を覆って、机などに置かれた場合には、机の面との間で隙間が形成され、裏面からの熱を逃がすようにされる。
【００３４】
図２は、携帯型表示端末に装着した本発明の携帯型表示端末の保護カバーの実施例１を斜視図で示すものである。表側に表示面２４を有する携帯型表示端末２５の外縁部を携帯型表示端末の保護カバー１で覆う。携帯型表示端末２５の具体的な形状の例として、中央の厚さが１０数ミリメートルほど、外縁部が約１０ミリメートルと薄く、略長方形状で、４箇所に円弧状の筐体角部を有する。表示面２４は、８ミリメートルほどの比較的厚い硝子で構成され、表示は液晶でなされるのが一般的である。
【００３５】
携帯型表示端末２５は、４箇所の筐体角部を含む外縁部から裏面全体を硬い樹脂などで形成される。筐体の内部には回路や電池などが配置され、全体の重量は１キログラム重以下にされる。１キログラム重以下であっても、１メートル以上の高さから硬い地面に落とした場合に筐体に加わる衝撃加速度は１０００Ｇを超える場合が多く、衝撃力は大きい。筐体の材質、構造は、全体の軽量化および薄型化を前提に選択に限界があり、衝撃加速度を小さくできず、表示面の硝子や内部に破損が生じ易い。
【００３６】
物体が地面などの衝突面に落下して衝撃を受ける場合、落下高さが大きく、物体と衝突面が硬いほど物体に加わる衝撃加速度が大きくなる。結果、物体を構成する部分の破壊が進むことになる。衝突が始まり、物体が静止するまでの時間を大きくすることによって衝撃加速度は小さくされ、同じ意味で最大衝撃力が小さくされる。衝撃を受ける部分での弾性材の変形を大きくすることで衝撃加速度と最大衝撃力は小さくされ、衝撃エネルギーを熱変換などで吸収し、また、衝撃力を広い面積に分散する。さらに、落下物体の重心と最初の衝突箇所が衝突面に垂直な直線の上にないことによる回転モーメントの発生で、物体が回転しながら２次以下の衝突することにも対応する。
【００３７】
携帯型表示端末２５は、落下時には高い確率で筐体角部から地面に衝突する。携帯型表示端末の保護カバー１は、円弧状の保護カバー角部６、７、８、９から弾性材を外の複数の方向に突出させることで、最初の衝突時の衝撃を緩和する。携帯型表示端末の保護カバー１は形状を保つ適度な硬さを必要とし、衝撃エネルギーを吸収させるためだけに低硬度にすることはできない。
【００３８】
適当な硬度の弾性材で落下による衝撃を緩和するため、携帯型表示端末の保護カバー１は、円弧状の保護カバー角部６、７、８、９が単に厚くされたものでなく、どの方向の衝突においても変形し易いように複数方向に部分的に突出した形状にされ、衝撃力の緩和と、衝撃エネルギーの吸収、および衝撃力が円弧状の筐体角部の広い面積への分散をはかる。
【００３９】
携帯型表示端末の保護カバー１には、携帯型表示端末２５の４箇所の筐体角部に相当する位置で、外に突出した複数の凸状リブが設けられる。いずれも円弧状の筐体角部にほぼ沿って連続した形状にされる。表示面２４と平行方向で保護カバー角部６、７、８、９に対向して外に突出した側部凸状リブ１０、１１、１２、１３が、表示面２に垂直方向で保護カバー角部６、７、８、９の上下から外に突出した上部凸状リブ１４、１５、１６、１７、および下部凸状リブ１８、１９、２０、２１が形成される。
【００４０】
携帯型表示端末の保護カバー１が装着されたことによる外形の変化は、保護カバー角部６、７、８、９と、裏保護カバー面での突出部２２および線状リブ２３以外の大部分は１．５ミリメートルほどの厚さが付加で済まされ、保護カバー角部で局所的に７ミリメートルほど直交する３方向に突出された程度の小さいものにされる。裏保護カバー面での外形の付加は、外縁部が薄くされているため、実質的な付加にはならない。携帯型表示端末の保護カバー１の重量は８０グラム重ほどにされ、重量付加は比較的小さくされる。
【００４１】
図３は、携帯型表示端末に装着された実施例１を正面図で示すものである。携帯型表示端末の保護カバー１の一部を切り欠いて、略長方形状の携帯型表示端末２５の筐体角部２６を示す。４箇所ある筐体角部２６は円弧状に形成される。保護カバー角部６、７（切り欠かれて示されず）、８、９の側部凸状リブ１０、１１（図示されず）、１２、１３、上部凸状リブ１４、１５（図示されず）、１６、１７、および下部凸状リブ１８、１９、２０、２１（いずれも図示されず）は、４箇所ある円弧状の筐体角部２６に沿った円弧状の独立した形状で形成される。    
【００４２】
図４は、本発明の携帯型表示端末の保護カバー角部の拡大断面図を示す。図４（ａ）は、図３で示された部分の拡大断面図で、図４（ｂ）は側部２７からの突出量を一部大きくした拡大断面図を示す。図１から図３の実施例１と共通する部分は同じ符号で示される。図４（ａ）で示されるように、携帯型表示端末の保護カバー１は携帯型表示端末２５の筐体２８と表示面２４を形成する硝子の外縁部にも密着して覆い、表示面２４と平行方向で筐体２８の側部２７に対向して外に突出した側部凸状リブ１０、表示面２４に垂直な方向で側部２７の上下から外に突出した上部凸状リブ１４と下部凸状リブ１８が配置される。
【００４３】
上部凸状リブ１４、下部凸状リブ１８の外側部２９、３０が筐体２８の側部２７より外側に出る位置にされることで、側部凸状リブ１０、上部凸状リブ１４、および下部凸状リブ１８に衝撃力が加わった際には、円弧状と屈曲部の３次元構造で比較的強固な側部２７に分散される。衝撃力による変形で衝撃力の多くが筐体２８の側部２７に分散されることで、破壊される程度が大幅に低減される。
【００４４】
表示面２４とほぼ平行な方向で地面に落下する場合には、上部凸状リブ１４が変形して衝撃を緩和し、その衝撃力が筐体２８の側部２７に加わる。表示面２４とほぼ４５度の方向で地面に落下した場合には、側部凸状リブ１０と上部凸状リブ１４のいずれかが最初に当たり、全体が変形して衝撃を緩和し、その衝撃力の多くが筐体２８の側部２７に加わる。反対のほぼ４５度の方向で地面に落下した場合にも、側部凸状リブ１０と下部凸状リブ１８のいずれかが最初に当たり、全体が変形して衝撃を緩和して同様に衝撃力の多くが筐体２８の側部２７に加わる。また、表示面２４と大きい角度をなす方向（表示面２４あるいは筐体２８の裏側３２が地面と平行に近い姿勢）で地面に落下した場合には、上部凸状リブ１４あるいは下部凸状リブ１８が単独で最初の衝撃を受け、円弧状の長い部分で変形を生じさせて衝撃力を筐体２８の側部２７に広く分散する。  
【００４５】
弾性材の変形で、質量と速度、および衝突から静止までにかかる時間で原理的に定義される衝撃加速度、および最大衝撃力が小さくされ、また、弾性材の変形に伴い、内部で衝撃エネルギーを熱エネルギーとして変換吸収される。さらに、保護されるべき筐体２８に加わる衝撃力を面積で分散することは、側部凸状リブ１０、上部凸状リ１４、および下部凸状リブ１８が連続的に変形しながら筐体２８に密着して衝撃を伝える面積が大きくされることで可能になる。側部凸状リブ１０、上部凸状リブ１４、下部凸状リブ１８は、筐体２８の円弧状の側部２７に沿って連続的に形成されるため、表示面２４の方向と大きい角度をなす方向（表示面２４と地面が平行に近くなる方向）で地面に落下するほど、衝突して変形で当たる可能性のある円弧状部分が長くなり、それだけ広い面積に衝撃力が分散され、表示面２４を形成する硝子や、筐体２８の裏面を破損する可能性が低下する。
【００４６】
側部凸状リブ１０、上部凸状リブ１４、下部凸状リブ１８のいずれかが最初に地面に衝突した後、衝突箇所と重心が地面に垂直な直線上にないことにより回転モーメントが生じ、いずれかの凸状リブを変形させながら他の箇所が連続的に衝突する。あるいは、回転モーメントが相対的に小さく衝撃エネルギーのかなりが熱変換や音や振動に変換されずに反撥エネルギーとして残った場合には、筐体が再度跳ね上がり、４箇所ある別の保護カバー角部のいずれかの凸状リブに衝突する。この過程を繰り返し、凸状リブの形状や材質での衝撃吸収性の程度が大きいほど早く静止する。当然ながら、衝突時の音や振動が大きいことは衝撃力が大きいことになり、それらの低減のためにも凸状リブの形状変形による衝撃吸収性が大きいことが必要になる。
【００４７】
携帯型表示端末の保護カバー１は、筐体２８の側部２７を覆う部分以外に、表示面２４を構成する硝子の外縁部を覆う表保護カバー面３１、および筐体２８の裏面３２を覆う裏保護カバー面３３が連続して同一の弾性材で構成される。筐体２８の裏面３２を覆う裏保護カバー面３３には外に突出した突出部２２が形成され、複数回生じる衝突の過程で筐体２８の裏面３２が衝撃から保護される。
【００４８】
図４（ｂ）は、筐体２８の側部２７からの側部凸状リブ３４の突出量を一部大きくした拡大断面形状を示す。上部凸状リブ３５と下部凸状リブ３６の外側部３７、３８の一部が側部２７からさらに出た位置に形成される。上部凸状リブ３５、下部凸状リブ３６は、筐体２８の側部２７の上下に配置される。落下時の衝撃で、側部凸状リブ３４がより変形しやすくされ、上部凸状リブ３５と下部凸状リブ３６も追従して変形しやすくされる。筐体２８の側部２７で衝撃力の多くを受ける構成であることは変わらない。
【００４９】
図５は、本発明の実施例１の保護カバー角部を拡大図で示す。図５（ａ）は、図４（ａ）で示された拡大断面図に対応し、図５（ｂ）は、図４（ｂ）で示された拡大断面図に対応する。図５（ａ）では、側部凸状リブ１０の形状は、破線で示される円弧状の筐体角部と同心円状の一部である円弧形状にされ、一様な突出量で形成される。上部凸状リブ１４、および図示されていない下部凸状リブ１８も筐体角部と同心円状の一部である円弧形状にされる。
【００５０】
図５（ｂ）では、側部凸状リブ３４の形状は、破線で示される円弧状の筐体角部に較べて曲率の大きい部分を有する、より突出した形状にされ、上部凸状リブ３５、および図示されていない下部凸状リブ３６も曲率が大きい円弧状部分を有する形状にされる。
【００５１】
図６は、本発明の実施例１の拡大断面図として図４（ａ）で示された角部が、異なる方向から（異なる姿勢で）地面などの剛性平面に衝突して複数の凸状リブが衝突で変形する過程の状態を断面図で示す。破線で示される部分は、衝突前の複数の凸状リブの形状を示し、符号付きの太い実線は衝突する剛性平面を示す。ここで留意すべきことは、複数の凸状リブの間が埋められている場合である。筐体角部がほぼ同じ厚さで一様に弾性材で覆われている場合は、衝突時に弾性材があまり変形できないため、衝撃加速度や最大衝撃力を小さくできず、衝撃エネルギーの吸収も小さく、携帯型表示端末の破損を防ぎにくいことである。保護カバー角部から直交する３方向に突出した弾性材の複数の凸状リブを設けることで、圧縮変形、屈曲変形、伸び変形を複合的に生じやすくし、衝撃印加時の変形量を大きくする。
【００５２】
図６（ａ）において、全体が表示面２４とほぼ平行な矢印の方向で剛性平面Ａ−Ａに衝突し、側部凸状リブ１０が潰されて幅方向に広がる変形が生じた衝突状態が示される。上部凸状リブ１４と下部状凸リブ１８は少し押し込まれ、筐体２８の側部２７の上下で浮き上がるが、筐体２８の側部２７で衝撃力を殆ど受ける。断面で示される筐体２８の側部２７は円弧状に形成され、下部で屈曲されていることもあり構造強度が比較的大きく、ある程度の大きさの衝撃力に耐えることが出来る。側部凸状リブ１０が大きく潰される変形によって、衝撃加速度と最大衝撃力が小さくされ、衝突エネルギーの多くを熱などに変換して吸収できる。
【００５３】
図６（ｂ）は、全体が表示面２４との平行方向から少し傾いた矢印の方向で剛性平面Ｂ−Ｂに衝突し、側部凸状リブ１０が偏って潰され、変形された状態を示す。側部凸状リブ１０は片方に大きく傾いて膨らむ形状に潰され、上部凸状リブ１４と下部凸状リブ１８は非対称に変形されて、筐体２８の側部２７の上部で少し浮き上がる。生じる変形によって衝撃加速度と最大衝撃力が小さくされ、衝突エネルギーも多く吸収される。衝撃力の大部分は筐体２８の側部２７で受けられ、一部が側部２７の下部近傍で分担される。
【００５４】
図６（ｃ）は、全体が表示面２４とはぼ４５度傾いた矢印の方向で剛性平面Ｃ−Ｃに衝突し、側部凸状リブ１０と下部凸状リブ１８が変形された状態を示す。側部凸状リブ１０は片方のみに大きく傾いて潰され、次に当たる下部凸状リブ１８は押され、側部凸状リブ１０から下部凸状リブの間での弾性材は伸び変形も生じる。これらの変形により、衝撃加速度と最大衝撃力は小さくされ、衝突エネルギーも多く吸収される。衝撃力を筐体２８の側部２７で多く、側部２７の下部でもかなり受けることになる。
【００５５】
図６（ｄ）は、全体が表示面２４とほぼ４５度傾いた矢印の方向で剛性平面Ｄ−Ｄに衝突し、側部凸状リブ１０と上部凸状リブ１４が変形された状態を示す。図４（ｃ）と近似した変形を示し、上部凸状リブ１４の変形が大きい分、下部凸状リブ１８の変形量が小さくなる。衝撃力は、筐体２８の側部２７で多く、側部２７の上部でもかなり受けることになる。
【００５６】
図６（ｅ）は、全体が表示面２４から大きく傾いた矢印の方向で剛性平面Ｅ−Ｅに衝突し、上部凸状リブが変形された状態を示す。上部凸状リブ１４が潰され、側部凸状リブ１０が下方向に押し込まれて全体的に変形された状態を示す。衝撃力の多くは筐体２８の側部２７の上部近傍で受ける。
【００５７】
図６（ａ）のように、衝突する剛性平面と表示面２４が直交に近い衝突時ほど、断面図で示された状態に近い変形が長い時間生じる。図６（ｂ）から図６（ｅ）で、剛性平面と表示面２４の相互の傾きが小さくなるほど、衝突箇所と全体の重心の位置が剛性平面の直交方向から大きくずれるため、衝突後に生じる回転モーメントが大きく、いずれかの凸状リブを衝突変形させ、早やかに傾きを重心のある方向に変えながら他の保護カバー角部の凸状リブが当たり、それらを変形させ、あるいは、自身回転しながら跳ね上がり、他の保護カバー角部の凸状リブに衝突して減衰し、静止する。
【００５８】
表示面と、剛性平面である落下面は、図６ではごく一部の状態が示されるもので、多くは３次元的な傾きを有した様々な衝突姿勢になる。しかし、落下時には４箇所のいずれかの保護カバー角部におけるいずれかの凸状リブに最初に衝突するように形状的に決めることで、衝突時での凸状リブの変形、衝撃加速度や最大衝撃力を小さくすること、側面とその近傍の広い面積への衝撃力の拡散、および衝撃エネルギーの吸収などは基本的に変わるものでない。
【００５９】
表示面２４に対して水平方向と、垂直の上下方向に筐体２８の側部２７から外に突出させた弾性材の側部凸状リブ１０、上部凸状リブ１４あるいは下部凸状リブ１８を筐体２８の側部２７に沿って配置することで、如何なる方向からの衝突でも、４箇所の保護カバー角部におけるいずれかの凸状リブが最初に地面と衝突して大きい変形が生じ、衝撃加速度と最大衝撃力が小さくされ、衝撃エネルギーが早やかに減衰される。また、裸の筐体角部が地面と衝突する場合に較べ、筐体２８の側部２７とその近傍の広くされた面積に衝撃力が分散される。
【００６０】
衝突する方向により、側部凸状リブ１０、上部凸状リブ１４、あるいは下部凸状リブ１８は大きな変形を分担し、筐体２８の側部２７で衝撃力の多くを広い面積で受けることになる。変形は、圧縮変形、伸び変形、屈曲変形が複合して生じ、衝突する方向によってはいずれかの変形が主体になる。これらの変形を大きくし、相対的に広い面積に衝撃力を分散させるためには、本発明の携帯型表示端末の保護カバーの構成が効果的である。
【００６１】
図７は、本発明の携帯型表示端末の保護カバーの実施例１における裏側形状を示す。筐体の裏面３２の外縁部を覆う携帯型表示端末の保護カバー１において、弾性材の裏保護カバー面３３に複数の突出部２２が設けられ、突出部２２の間は裏保護カバー面３３から肉厚にされた線状リブ２３で連結される。線状リブ２３は突出部２２より裏保護カバー面３３からの突出量が小さく、例えば、連続して突出量が変わる滑らかな形状にされる。突出部２２と線状リブ２３が、筐体の裏面３２の外縁部に沿った略長方形状の閉じた形状にされることで、携帯型表示端末の保護カバー１の裏保護カバー面３３全体の伸び張力が大きくなり、手や落下時の衝撃力で携帯型表示端末の保護カバー１が離脱しにくくなる。突出部２２と線状リブ２３の内側は弾性材を有しない抜き部３９が形成され、携帯型表示端末の保護カバー１の重量の低減がなされる。
【００６２】
複数の突出部２２は、下部凸状リブ１８、１９、２０、２１と同一な平面に接する突出量にされることで携帯型表示端末が安定して設置される。それぞれの突出先端を筐体の裏面３２より出る位置にすることで、落下時の衝突の過程でいずれかの突出部２２が地面に当たり、衝撃を緩和し、裏面３２が地面に直接衝突すること回避して、損傷を防ぐことができる。      
【００６３】
携帯型表示端末の内部の中央近傍に電池などが配置されるため、裏面３２は外縁部近傍が薄く形成される。硬い材質の筐体のまま使用すると、手で外縁部を握って保持したり、膝に置いた場合に滑りやすい。裏面３２の外縁部を覆うゴムなどの弾性材で作られる携帯型表示端末の保護カバー１は、突出部２２や線状リブ２３により、一層滑りにくくされる。
【実施例２】
【００６４】
図８は、本発明の携帯型表示端末の保護カバーの実施例２を示す。図８（ａ）では、携帯型表示端末の保護カバー１で覆われた破線で示される携帯型表示端末の表の面に蓋が配置された構成が示されている。上部凸状リブ１４、１５、１６、１７に、平坦な蓋４０の孔部４１、４２、４３、および４４が嵌め込まれ、蓋４０が破線で示される携帯型表示端末が表側に有する表示面の全体を覆う。
【００６５】
孔部４１、４２、４３、４４は、上部凸状リブ１４、１５、１６、１７の外形状と一致したものでなくてもよく、外側部の形状とほぼ一致させるだけでもよい。蓋４０での孔部４１、４２、４３、４４の円弧状部分の中心位置の間隔を、上部凸状リブ１４、１５、１６、１７の外側部における円弧状の中心の間隔より少し小さくする必要がある。横方向での間隔で１ｍｍ以上に、長い縦方向の間隔で１．５ｍｍ以上であれば携帯型表示端末の保護カバー１の弾性力で蓋４０は安定して保持される。孔部４１、４２、４３、４４の形状を複数の上部凸状リブ１４、１５、１６、１７の外側部とほぼ一致させ、さらに各孔部の他の一部で各上部凸状リブを挟んでもよい。
【００６６】
蓋４０は、簡単に取り付けと取りはずしができ、上部凸状リブ１４、１５、１６、１７で床や地面との間に比較的大きい間隔が形成され、さらに蓋４０が配置されることで、多少の凹凸がある地面に落下しても直接表示面には当たらず、表示面の損傷を少なくできる。また、持ち運びに際して手の汚れの付着を少なくできる。蓋４０に弾性材を用いることで保護カバー角部６、７、８、９での独立した複数の凸状リブの変形挙動を妨げず、表示面への直接的な衝撃を緩和でき、平坦な形状であるため打ち抜きで作成できる。
【００６７】
図８（ｂ）では、携帯型表示端末の保護カバー１で覆われた携帯型表示端末の裏面に蓋４０が配置された構成が示される。携帯型表示端末の使用時に、蓋４０を放置することなく裏面に取り付けて保管できる。平坦で表面が滑りにくい材質や形状を有する蓋４０を用いることで、膝などから滑りにくくすることができる。
【００６８】
蓋４０は、保護カバー裏面３３の凹凸形状に対応する形状にされ、下部凸状リブ１８、１９、２０、２１に嵌め込まれて保持され、複数の突出部２２を避けた略長方形状の外形にされる。
【符号の説明】
【００６９】
１    携帯型表示端末の保護カバー
６、７、８、９    保護カバー角部
１０、１１、１２、１３、３４    側部凸状リブ
１４、１５、１６、１７、３５    上部凸状リブ
１８、１９、２０、２１、３６    下部凸状リブ
２２    突出部
２３    線状リブ
２４    表示面  
２５    携帯型表示端末
２６    筐体角部
２７    側部
２８    筐体
３２    裏面
３３    裏保護カバー面
４０    蓋
４１、４２、４３、４４    孔部
【図１】
2011248437.tif 000003
【図２】
2011248437.tif 000004
【図３】
2011248437.tif 000005
【図４】
2011248437.tif 000006
【図５】
2011248437.tif 000007
【図６】
2011248437.tif 000008
【図７】
2011248437.tif 000009
【図８】
2011248437.tif 000010